【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
階層により関係付けられる多数のコンテクストの仕様を受け取ること、
３つ以上のメタデータオブジェクト間の関係性を決定すること、
少なくともいくつかの前記メタデータオブジェクトを、１つ以上の個々のグループにグループ化することであって、少なくともいくつかの前記グループはそれぞれ、前記コンテクストから選択された１つに基づいていて、ダイヤグラム内のノードにより表され、
前記ノードで表される前記グループ内の前記メタデータオブジェクト間の関係性に基づいて前記ノード間の関係性を決定すること、
前記ノードと前記ノード間の関係性とを含む前記ダイヤグラムの視覚表示を生成することを含む方法。
【請求項２】
前記メタデータオブジェクトは、データ要素またはデータの変換を表す、
請求項１の方法。
【請求項３】
前記データ要素は、データセット、アプリケーション、またはシステムを含むコンテクストにグループ化される、
請求項２の方法。
【請求項４】
前記データの変換は、実行ファイル、アプリケーション、またはシステムを含むコンテクストにグループ化される、
請求項２の方法。
【請求項５】
前記ノードは拡張または圧縮されて、様々な解決レベルを表示するように構成される、
請求項１の方法。
【請求項６】
ユーザーが前記解決レベルを選択して表示する、
請求項５の方法。
【請求項７】
ユーザーが関係性を計算する特定のノードを選択する、
請求項５の方法。
【請求項８】
前記選択したデータノードを含まない各ノードは、アルゴリズムにより最小明細の解決レベルに圧縮される、
請求項７の方法。
【請求項９】
予め選択した条件を満たすノードは前記視覚表示から除外される、
請求項１の方法。
【請求項１０】
階層により関係付けられる多数のコンテクストの仕様を受け取る手段と、
３つ以上のメタデータオブジェクト間の関係性を決定する手段と、
少なくともいくつかの前記メタデータオブジェクトを１つ以上の個々のグループにグループ化する手段であって、少なくともいくつかの前記グループはそれぞれ、前記コンテクストの選択された１つに基づいていて、ダイヤグラム内のノードにより表される、グループ化手段と、
前記ノードで表される前記グループ内の前記メタデータオブジェクト間の関係性に基づいて前記ノード間の関係性を決定する手段と、
前記ノードと前記ノード間の関係性とを含む前記ダイヤグラムの視覚表示を生成する手段とを備えるシステム。
【請求項１１】
階層により関係付けられる多数のコンテクストの仕様を受け取り、
３つ以上のメタデータオブジェクト間の関係性を決定し、
少なくともいくつかの前記メタデータオブジェクトを、１つ以上の個々のグループにグループ化し、少なくともいくつかの前記グループはそれぞれ、前記コンテクストの選択された１つに基づいていて、ダイヤグラム内のノードにより表され、
前記ノードで表される前記グループ内の前記メタデータオブジェクト間の関係性に基づいて前記ノード間の関係性を決定し、
前記ノードとノード間の関係性とを含む前記ダイヤグラムの視覚表示を生成するよう構成されるコンピューターシステム。
【請求項１２】
コンピュータープログラムを格納するコンピュータで読取り可能な媒体であって、前記コンピュータープログラムは、
コンピュータが、
階層により関係付けられる多数のコンテクストの仕様を受け取って、
３つ以上のメタデータオブジェクト間の関係性を決定し、
少なくともいくつかの前記メタデータオブジェクトを１つ以上の個々のグループにグループ化し、少なくともいくつかの前記グループはそれぞれ、前記コンテクストの選択された１つに基づいていて、ダイヤグラム内のノードにより表され、
前記ノードで表される前記グループ内の前記メタデータオブジェクト間の関係性に基づいて前記ノード間の関係性を決定し、
前記ノードと前記ノード間の関係性とを含む前記ダイヤグラムの視覚表示を生成するよう、コンピュータに与える命令を含むコンピュータープログラム。
【請求項１３】
前記メタデータオブジェクト間の関係性は、前記メタデータオブジェクト間の従属性に基づく、
請求項１の方法。
【請求項１４】
前記メタデータオブジェクトの内の所与のメタデータオブジェクトに関して、
前記メタデータオブジェクト間の関係性は、前記所与のメタデータオブジェクトと、前記所与のメタデータオブジェクトが従属する１つ以上のメタデータオブジェクトとの間の関係性、および前記所与のメタデータオブジェクトと、前記所与のメタデータオブジェクトに従属する１つ以上のメタデータオブジェクトとの間の関係性の内の１つ以上を含む、
請求項１３の方法。
【請求項１５】
前記ダイヤグラムの前記可視表示は、データ系統ダイヤグラムの視覚表示を含む、
請求項１の方法。
【請求項１６】
前記メタデータオブジェクトは、データ要素またはデータの変換を表す、
請求項１０のシステム。
【請求項１７】
前記データ要素は、データセット、アプリケーション、またはシステムを含むコンテクストにグループ化される、
請求項１６のシステム。
【請求項１８】
前記データの変換は、実行ファイル、アプリケーション、またはシステムを含むコンテクストにグループ化される、
請求項１６のシステム。
【請求項１９】
前記ノードは拡張または圧縮されて、様々な解決レベルを表示するように構成される、
請求項１０のシステム。
【請求項２０】
ユーザーが前記解決レベルを選択して表示する、
請求項１９のシステム。
【請求項２１】
ユーザーが関係性を計算する特定のノードを選択する、
請求項１９のシステム。
【請求項２２】
前記選択したデータノードを含まない各ノードは、アルゴリズムにより最小明細の解決レベルに圧縮される、
請求項２１のシステム。
【請求項２３】
予め選択した条件を満たすノードは前記視覚表示から除外される、
請求項１０のシステム。
【請求項２４】
前記メタデータオブジェクト間の関係性は、前記メタデータオブジェクト間の従属性に基づく、
請求項１０のシステム。
【請求項２５】
前記メタデータオブジェクトの内の所与のメタデータオブジェクトに関して、
前記メタデータオブジェクト間の関係性は、前記所与のメタデータオブジェクトと、前記所与のメタデータオブジェクトが従属する１つ以上のメタデータオブジェクトとの間の関係性、および前記所与のメタデータオブジェクトと、前記所与のメタデータオブジェクトに従属する１つ以上のメタデータオブジェクトとの間の関係性の内の１つ以上を含む、
請求項２４のシステム。
【請求項２６】
前記ダイヤグラムの前記可視表示は、データ系統ダイヤグラムの視覚表示を含む、
請求項１０のシステム。
【請求項２７】
前記メタデータオブジェクトは、データ要素またはデータの変換を表す、
請求項１１のコンピューターシステム。
【請求項２８】
前記データ要素は、データセット、アプリケーション、またはシステムを含むコンテクストにグループ化される、
請求項２７のコンピューターシステム。
【請求項２９】
前記データの変換は、実行ファイル、アプリケーション、またはシステムを含むコンテクストにグループ化される、
請求項２７のコンピューターシステム。
【請求項３０】
前記ノードは拡張または圧縮されて、様々な解決レベルを表示するように構成される、
請求項１１のコンピューターシステム。
【請求項３１】
ユーザーが前記解決レベルを選択して表示する、
請求項３０のコンピューターシステム。
【請求項３２】
ユーザーが関係性を計算する特定のノードを選択する、
請求項３０のコンピューターシステム。
【請求項３３】
前記選択したデータノードを含まない各ノードは、アルゴリズムにより最小明細の解決レベルに圧縮される、
請求項３２のコンピューターシステム。
【請求項３４】
予め選択した条件を満たすノードは前記視覚表示から除外される、
請求項１１のコンピューターシステム。
【請求項３５】
前記メタデータオブジェクト間の関係性は、前記メタデータオブジェクト間の従属性に基づく、
請求項１１のコンピューターシステム。
【請求項３６】
前記メタデータオブジェクトの内の所与のメタデータオブジェクトに関して、
前記メタデータオブジェクト間の関係性は、前記所与のメタデータオブジェクトと、前記所与のメタデータオブジェクトが従属する１つ以上のメタデータオブジェクトとの間の関係性、および前記所与のメタデータオブジェクトと、前記所与のメタデータオブジェクトに従属する１つ以上のメタデータオブジェクトとの間の関係性の内の１つ以上を含む、
請求項３５のコンピューターシステム。
【請求項３７】
前記ダイヤグラムの前記可視表示は、データ系統ダイヤグラムの視覚表示を含む、
請求項１１のコンピューターシステム。
【請求項３８】
前記メタデータオブジェクトは、データ要素またはデータの変換を表す、
請求項１２のコンピュータで読取り可能な媒体。
【請求項３９】
前記データ要素は、データセット、アプリケーション、またはシステムを含むコンテクストにグループ化される、
請求項３８のコンピュータで読取り可能な媒体。
【請求項４０】
前記データの変換は、実行ファイル、アプリケーション、またはシステムを含むコンテクストにグループ化される、
請求項３８のコンピュータで読取り可能な媒体。
【請求項４１】
前記ノードは拡張または圧縮されて、様々な解決レベルを表示するように構成される、
請求項１２のコンピュータで読取り可能な媒体。
【請求項４２】
ユーザーが前記解決レベルを選択して表示する、
請求項４１のコンピュータで読取り可能な媒体。
【請求項４３】
ユーザーが関係性を計算する特定のノードを選択する、
請求項４１のコンピュータで読取り可能な媒体。
【請求項４４】
前記選択したデータノードを含まない各ノードは、アルゴリズムにより最小明細の解決レベルに圧縮される、
請求項４３のコンピュータで読取り可能な媒体。
【請求項４５】
予め選択した条件を満たすノードは前記視覚表示から除外される、
請求項１２のコンピュータで読取り可能な媒体。
【請求項４６】
前記メタデータオブジェクト間の関係性は、前記メタデータオブジェクト間の従属性に基づく、
請求項１２のコンピュータで読取り可能な媒体。
【請求項４７】
前記メタデータオブジェクトの内の所与のメタデータオブジェクトに関して、
前記メタデータオブジェクト間の関係性は、前記所与のメタデータオブジェクトと、前記所与のメタデータオブジェクトが従属する１つ以上のメタデータオブジェクトとの間の関係性、および前記所与のメタデータオブジェクトと、前記所与のメタデータオブジェクトに従属する１つ以上のメタデータオブジェクトとの間の関係性の内の１つ以上を含む、
請求項４６のコンピュータで読取り可能な媒体。
【請求項４８】
前記ダイヤグラムの前記可視表示は、データ系統ダイヤグラムの視覚表示を含む、
請求項１２のコンピュータで読取り可能な媒体。